【手続補正書】
【提出日】平成15年12月17日(2003.12.17)
【手続補正１】
【補正対象書類名】明細書
【補正対象項目名】特許請求の範囲
【補正方法】変更
【補正の内容】
【特許請求の範囲】
【請求項１】
ネットワークを経由して複数の情報受信装置に情報を提供する情報提供システムにおいて、
前記複数の情報受信装置のそれぞれに対応する個人情報を管理する個人情報データベースと、
前記情報受信装置に対応する前記個人情報に応じたカスタマイズ情報を作成し、前記ネットワークを介して当該情報受信装置に提供する情報提供手段と、
を備えることを特徴とする情報提供システム。
【請求項２】
前記個人情報データベースは、少なくとも所得、家族に関する情報を含み、前記情報提供手段は、前記所得、家族に関する情報に適するカスタマイズ情報を提供することを特徴とする請求項１に記載の情報提供システム。
【請求項３】
前記個人情報データベースは、前記情報受信装置を識別するための識別情報に対応付けて前記個人情報を管理し、前記情報提供手段は、前記識別情報に対応する前記情報受信装置に前記カスタマイズ情報を提供することを特徴とする請求項１または２に記載の情報提供システム。
【請求項４】
ネットワークを経由して複数の情報受信装置に情報を提供する情報提供方法において、
前記複数の情報受信装置のそれぞれに対応する個人情報を管理する個人情報管理工程と、
前記情報受信装置に対応する前記個人情報に応じたカスタマイズ情報を作成し、前記ネットワークを介して当該情報受信装置に提供する情報提供工程と、
を含むことを特徴とする情報提供方法。
【請求項５】
ネットワークを経由して複数の情報受信装置に情報を提供する情報提供システムに適用される情報提供プログラムを記録したコンピュータ読み取り可能な記録媒体であって、
前記複数の情報受信装置のそれぞれに対応する個人情報を管理させる個人情報管理工程と、
前記情報受信装置に対応する前記個人情報に応じたカスタマイズ情報を作成させ、前記ネットワークを介して当該情報受信装置に提供させる情報提供工程と、
をコンピュータに実行させるための情報提供プログラムを記録したコンピュータ読み取り可能な記録媒体。
【請求項６】
ネットワークを経由して情報提供サーバから複数の情報受信装置に情報を提供する情報提供システムにおいて、
前記情報受信装置と前記ネットワークを接続するための加入契約と、前記情報提供サーバからの前記情報の提供を受けるための情報提供サービス契約との一括契約に基づく料金の支払い情報を受信した場合、前記加入契約、前記情報提供サービス契約のそれぞれの支払い先へ前記料金を分配する料金分配手段
を備えることを特徴とする情報提供システム。
【手続補正２】
【補正対象書類名】明細書
【補正対象項目名】００１１
【補正方法】変更
【補正の内容】
【００１１】
【課題を解決するための手段】
上記目的を達成するために、請求項１にかかる発明は、ネットワークを経由して複数の情報受信装置に情報を提供する情報提供システムにおいて、前記複数の情報受信装置のそれぞれに対応する個人情報を管理する個人情報データベース（後述する一実施の形態の記憶装置３４０に相当）と、前記情報受信装置に対応する前記個人情報に応じたカスタマイズ情報を作成し、前記ネットワークを介して当該情報受信装置に提供する情報提供手段（後述する一実施の形態の地域コンテンツ制作会社側コンピュータ６１０、ＣＡＴＶ局側コンピュータ５１０、ヘッドエンド装置５７０に相当）とを備えることを特徴とする。


【手続補正３】
【補正対象書類名】明細書
【補正対象項目名】００１３
【補正方法】変更
【補正の内容】
【００１３】
このように、請求項１にかかる発明によれば、情報受信装置に対応する前記個人情報に応じて、アクセス要求者が意識することなくアクセス要求者の傾向に適したカスタマイズ情報が提供されるため、高品質の情報提供サービスを提供することができるとともに、当該情報提供サービスの提供が容易に受けられるマンション等の付加価値を高めることができる。


【手続補正４】
【補正対象書類名】明細書
【補正対象項目名】００１８
【補正方法】変更
【補正の内容】
【００１８】
また、請求項４にかかる発明は、ネットワークを経由して複数の情報受信装置に情報を提供する情報提供方法において、前記複数の情報受信装置のそれぞれに対応する個人情報を管理する個人情報管理工程（後述する一実施の形態のステップＳＢ２に相当）と、前記情報受信装置に対応する前記個人情報に応じたカスタマイズ情報を作成し、前記ネットワークを介して当該情報受信装置に提供する情報提供工程（後述する一実施の形態のステップＳＢ７〜ステップＳＢ１０に相当）とを含むことを特徴とする。


【手続補正５】
【補正対象書類名】明細書
【補正対象項目名】００２０
【補正方法】変更
【補正の内容】
【００２０】
このように、請求項４にかかる発明によれば、情報受信装置に対応する前記個人情報に応じて、アクセス要求者が意識することなくアクセス要求者の傾向に適したカスタマイズ情報が提供されるため、高品質の情報提供サービスを提供することができるとともに、当該情報提供サービスの提供が容易に受けられるマンション等の付加価値を高めることができる。


【手続補正６】
【補正対象書類名】明細書
【補正対象項目名】００２１
【補正方法】変更
【補正の内容】
【００２１】
また、請求項５にかかる発明は、ネットワークを経由して複数の情報受信装置に情報を提供する情報提供システムに適用される情報提供プログラムを記録したコンピュータ読み取り可能な記録媒体であって、前記複数の情報受信装置のそれぞれに対応する個人情報を管理させる個人情報管理工程（後述する一実施の形態のステップＳＢ２に相当）と、前記情報受信装置に対応する前記個人情報に応じたカスタマイズ情報を作成させ、前記ネットワークを介して当該情報受信装置に提供させる情報提供工程（後述する一実施の形態のステップＳＢ７〜ステップＳＢ１０に相当）とをコンピュータに実行させるための情報提供プログラムを記録したコンピュータ読み取り可能な記録媒体である。


【手続補正７】
【補正対象書類名】明細書
【補正対象項目名】００２３
【補正方法】変更
【補正の内容】
【００２３】
このように、請求項５にかかる発明によれば、情報受信装置に対応する個人情報に応じて、アクセス要求者が意識することなくアクセス要求者の傾向に適したカスタマイズ情報が提供されるため、高品質の情報提供サービスを提供することができるとともに、当該情報提供サービスの提供が容易に受けられるマンション等の付加価値を高めることができる。


【手続補正８】
【補正対象書類名】明細書
【補正対象項目名】００２４
【補正方法】変更
【補正の内容】
【００２４】
また、請求項６にかかる発明は、ネットワークを経由して情報提供サーバから複数の情報受信装置に情報を提供する情報提供システムにおいて、前記情報受信装置と前記ネットワークを接続するための加入契約と、前記情報提供サーバからの前記情報の提供を受けるための情報提供サービス契約との一括契約に基づく料金の支払い情報を受信した場合、前記加入契約、前記情報提供サービス契約の支払い先へ前記料金を分配する料金分配手段（後述する一実施の形態のコーディネート会社側コンピュータ３１０に相当）を備えることを特徴とする。


【手続補正９】
【補正対象書類名】明細書
【補正対象項目名】００８８
【補正方法】変更
【補正の内容】
【００８８】
【発明の効果】
以上説明したように、請求項１、４、５にかかる発明によれば、情報受信装置に対応する個人情報に応じて、アクセス要求者が意識することなくアクセス要求者の傾向に適したカスタマイズ情報が提供されるため、高品質の情報提供サービスを提供することができるとともに、当該情報提供サービスの提供が容易に受けられるマンション等の付加価値を高めることができるという効果を奏する。